(57)【要約】【課題】谷間や突出等のバスト造形性を高め、幅広いカップサイズのバストに対応可能であり、かつ、カップ部の浮きを抑制することが可能なカップ部を有する衣類を提供する。【解決手段】本発明の一実施形態に係るカップ部を有する衣類１は、バストを覆うためのカップ部１０と、カップ部１０の下部を支持するための土台部２０と、カップ部１０の脇側部を支持するためのバック部３０と、カップ部１０の上部を支持するためのストラップ部４０とを有する衣類において、カップ部１０の下部は、カップ部１０のストラップ部４０との結合部と当該下部の前中心側縁部とを結ぶストラップ軸ラインＬより前中心側にバストトップＴが位置するように、前中心から離間している。【選択図】図１
2010222736.tif 000002
【特許請求の範囲】
【請求項１】
バストを覆うためのカップ部と、前記カップ部の下部を支持するための土台部と、前記カップ部の脇側部を支持するためのバック部と、前記カップ部の上部を支持するためのストラップ部とを有する衣類において、
前記カップ部の下部は、前記カップ部の前記ストラップ部との結合部と当該下部の前中心側縁部とを結ぶストラップ軸ラインより前中心側にバストトップが位置するように、前中心から離間している、
ことを特徴とする、カップ部を有する衣類。
【請求項２】
前記ストラップ部は、２以上に分岐して前記カップ部の結合部と結合する分岐結合部を有し、
前記ストラップ軸ラインは、前記ストラップ部の分岐結合部における分岐点と前記カップ部の下部の前中心側縁部とを前記カップ部の結合部を介して結ぶラインであり、
前記分岐結合部における分岐したストラップは、前記ストラップ軸ラインの左右両側のそれぞれにおいて、前記カップ部の結合部と少なくとも１箇所結合している、
ことを特徴とする、請求項１に記載のカップ部を有する衣類。
【請求項３】
前記カップ部の下部の前中心側縁部は、左右方向において、バージスラインの最下部から前記前中心に向けて１／３〜１／２の範囲に位置することを特徴とする、
請求項１又は２に記載のカップ部を有する衣類。
【請求項４】
前記カップ部の下部の前中心側縁部から前記カップ部の前記ストラップ部との結合部までのカップ縁部は、前記カップ部の他部分より剛性が高いことを特徴とする、
請求項１〜３の何れか１項に記載のカップ部を有する衣類。
【発明の詳細な説明】
【技術分野】
【０００１】
本発明は、バストを覆うためのカップ部を有する衣類に関するものである。
【背景技術】
【０００２】
特許文献１には、バストを覆うためのカップ部を有する衣類として、ブラジャーが開示されている。特許文献１に記載のブラジャーは、前中心布を備えず、カップ部が下カップ部のみから構成されている。このブラジャーによれば、乳房の寄せ、上げなどのバストの補正効果が得られ、谷間や突出等のバスト造形性を高めることができるとしている。更に、カップ部の面積が小さいので、幅広いカップサイズのバストに対応可能であるとしている。
【先行技術文献】
【特許文献】
【０００３】
【特許文献１】登録実用新案第３１２０１２２号公報
【発明の概要】
【発明が解決しようとする課題】
【０００４】
しかしながら、特許文献１に記載のブラジャーでも、下カップ部の前中心側部分の低減が不十分であり、バストを下から押えてしまい、谷間や突出等のバスト造形性が十分でないと共に、幅広いカップサイズのバストへの対応性が十分でない。また、着用者の動きに起因してカップ部が浮いてしまい、バスト造形性が低下してしまう可能性がある。
【０００５】
そこで、本発明は、谷間や突出等のバスト造形性を高め、幅広いカップサイズのバストに対応可能であり、かつ、カップ部の浮きを抑制することが可能なカップ部を有する衣類を提供することを目的としている。
【課題を解決するための手段】
【０００６】
本発明のカップ部を有する衣類は、バストを覆うためのカップ部と、カップ部の下部を支持するための土台部と、カップ部の脇側部を支持するためのバック部と、カップ部の上部を支持するためのストラップ部とを有する衣類において、カップ部の下部は、カップ部のストラップ部との結合部と当該下部の前中心側縁部とを結ぶストラップ軸ラインより前中心側にバストトップが位置するように、前中心から離間している、ことを特徴とする。
【０００７】
このカップ部を有する衣類によれば、カップ部の下部が、カップ部のストラップ部との結合部と当該下部の前中心側縁部とを結ぶストラップ軸ラインより前中心側にバストトップが位置するほど、前中心から離間しているので、バストを下から押えることなく、脇から押えることとなる。したがって、谷間や突出等のバスト造形性を高めることができると共に、幅広いカップサイズのバストに対応可能となる。
【０００８】
更に、カップ部の湾曲構造との共同作用により、ストラップ軸ラインを軸として、ストラップ部の引っ張り力により前中心側部分がバスト側に倒れ込むように作用する。したがって、着用者の動きに起因するカップ部の浮きを抑制することができる。
【０００９】
上記したストラップ部は、２以上に分岐してカップ部の結合部と結合する分岐結合部を有し、上記したストラップ軸ラインは、ストラップ部の分岐結合部における分岐点とカップ部の下部の前中心側縁部とをカップ部の結合部を介して結ぶラインであり、分岐結合部における分岐したストラップは、ストラップ軸ラインの左右両側のそれぞれにおいて、カップ部の結合部と少なくとも１箇所結合していることが好ましい。
【００１０】
この構成によれば、上記同様に、ストラップ軸ラインより前中心側でカップ部と結合する分岐結合部におけるストラップの引っ張り力により、前中心側部分がストラップ軸ラインを軸としてバスト側に倒れ込むように作用するが、２以上に分岐してカップ部の結合部と結合する分岐結合部を有している場合には、ストラップの引っ張り力をより大きくすることができる。したがって、着用者の動きに起因するカップ部の浮きをより効果的に抑制することができる。
【００１１】
また、ストラップ軸ラインより脇側でカップ部と結合する分岐結合部におけるストラップの引っ張り力とバック部の引っ張り力とにより、カップ部の脇側部分がストラップ軸ラインを軸としてバスト脇部を強く押えるように作用する。したがって、谷間や突出等のバスト造形性をより高めることができる。
【００１２】
上記したカップ部の下部の前中心側縁部は、左右方向において、バージスラインの最下部から前中心に向けて、着用者の体型にもよるが、略１／３〜略１／２の範囲に位置することが好ましい。これによれば、バストを下から押えることなく、脇から押えることとなり、谷間や突出等のバスト造形性を高めることができると共に、幅広いカップサイズのバストに対応可能となる。更に、ストラップ軸ラインを軸として、ストラップの引っ張り力により前中心側部分がバスト側に倒れ込む作用が効果的に作用する。したがって、着用者の動きに起因するカップ部の浮きを抑制することができる。
【００１３】
上記したカップ部の下部の前中心側縁部からカップ部のストラップ部との結合部までのカップ縁部は、カップ部の他部分より剛性が高いことが好ましい。これによれば、ストラップ軸ラインを軸として、ストラップの引っ張り力により前中心側部分がバスト側に倒れ込む作用が効果的に作用する。したがって、着用者の動きに起因するカップ部の浮きをより抑制することができる。
【発明の効果】
【００１４】
本発明によれば、カップ部を有する衣類において、谷間や突出等のバスト造形性を高め、幅広いカップサイズのバストに対応可能であり、かつ、カップ部の浮きを抑制することができる。
【図面の簡単な説明】
【００１５】
【図１】本発明の第１の実施形態に係るブラジャーを表側から示す斜視図である。
【図２】図１に示す第１の実施形態のブラジャーの一部を裏側から示す図である。
【図３】本発明の第２の実施形態に係るブラジャーを表側から示す斜視図である。
【図４】図３に示す第２の実施形態のブラジャーの一部を裏側から示す図である。
【発明を実施するための形態】
【００１６】
以下、図面を参照して本発明のカップ部を有する衣類の好適な実施形態について詳細に説明する。なお、各図面において同一又は相当の部分に対しては同一の符号を附すこととする。
［第１の実施形態］
【００１７】
図１は、本発明の第１の実施形態に係るブラジャーを表側から示す斜視図であり、図２は、図１に示すブラジャーの一部を裏側から示す図である。このブラジャー１は左右略対称であるので、以下では左右の一方のみによって説明する。
【００１８】
図１及び図２に示すブラジャー１は、カップ部１０と、土台部２０と、バック部３０と、ストラップ部４０とを備えている。
【００１９】
カップ部１０は、バストを覆うためのものであり、土台部２０に支持されている。土台部２０は、非伸縮性の布からなっており、カップ部１０の下部と縫着されている。これらのカップ部１０及び土台部２０の脇側には、バック部３０が縫着されている。バック部３０は、伸縮性の布からなっており、背中において連結することによって、カップ部１０及び土台部２０を支持するためのものである。なお、土台部２０のバージスラインの最下部１３よりも脇側については、伸縮性の布を用いたり、土台部２０に伸縮性の布を用いて、土台部２０のバージスラインの最下部１３よりも前中心側に非伸縮性の布を裏打ちしても良い。
【００２０】
ここで、カップ部１０とバック部３０との境界３０ｓから、カップ部１０と土台部２０との境界２０ｕ１、更に前中心に向けた土台部２０の上辺２０ｕ２の裏側には、すなわち、バージスラインに略沿った裏側には、ワイヤーバイアステープ５０が縫着されており、その中にカップワイヤー５１が装着されている。なお、ワイヤーバイアステープ５０の強度によっては、カップワイヤー５１は必ずしも備えなくてもよい。また、土台部２０の下辺２０ｌの裏側にも、伸縮性のテープ５２が縫着されている。なお、伸縮性のテープ５２は、土台部２０のバージスラインの最下部１３よりも前中心側については、非伸縮性のテープを用いても良い。
【００２１】
また、バック部３０の上辺３０ｕの裏側及び下辺３０ｌの裏側には、それぞれ、伸縮性のバイアステープ５４、５６が縫着されている。また、バック部３０の裏側には、カップ部１０の脇下部との境界３０ｓから下辺３０ｌにかけて斜めに非伸縮性のバイアステープ５８が縫着されており、その中にワイヤー５９が装着されている。これにより、バック部３０の下辺３０ｌが背中側に引かれることにより、バストの脇側下部を支えることができる。
【００２２】
また、カップ部１０の上部には、ストラップ部４０が縫着されている。ストラップ部４０は、伸縮性のテープからなっており、肩を介してバック部３０に連結されることによって、カップ部１０を支持するためのものである。このストラップ部４０は、分岐結合部４１を有している。この分岐結合部４１では、分岐点４２から２つの分岐ストラップ４３、４４に分岐して、カップ部１０の上部に縫着されている。これらの分岐ストラップ４３、４４は、例えば、伸縮性のテープである。なお、分岐ストラップ４３、４４が伸縮性の布の裏側に一体的に縫着されて、分岐結合部４１を構成してもよい。このようにして、分岐結合部４１は、上下方向に伸縮性を有することとなる。
【００２３】
次に、カップ部１０について詳細に説明する。カップ部１０は、上下方向に分割してなる上部、中央部及び下部のうち、下部の前中心側縁部は、中央部の前中心側縁部より左右方向の脇側に位置している。すなわち、カップ部１０は、通常のブラジャーにおけるカップ部の下部前中心部分を有していない。具体的には、カップ部１０の下部の前中心側縁部１１とストラップ部４０の分岐結合部４１における分岐点４２とを、カップ部１０のストラップ部４０との結合部１２を介して結ぶストラップ軸ラインＬより前中心側にバストトップＴが位置するように、カップ部１０の下部の前中心側縁部１１は、カップ部１０の中央部の前中心側縁部より前中心から離間している。
【００２４】
換言すれば、カップ部１０の下部の前中心側縁部１１は、左右方向において、バージスラインの最下部１３近傍から前中心に向けた約１／３〜約１／２の範囲１４に位置している。更に換言すれば、カップ部１０の土台部２０との下部結合部における前中心側端部１５は、左右方向において、バージスラインの最下部１３近傍から前中心に向けた約１／３〜約１／２の範囲１４に位置している。
【００２５】
そして、カップ部１０におけるストラップ軸ラインＬより前中心側部分１０ａは、バストトップＴを覆うようにその縁部が湾曲している。詳説すれば、カップ部１０の下部の前中心側縁部１１から、カップ部１０のストラップ部４０との結合部１２までのカップ縁部１６は、すなわち、前中心側縁部１１から、ストラップ軸ラインＬより前中心側の分岐ストラップ４３までのカップ縁部１６は、湾曲している。
【００２６】
また、カップ部１０における前中心側部分１０ａのカップ縁部１６の裏側には、補強用芯材６０が縫着されている。補強用芯材６０には、縫着などにより伸び止めを施した伸縮性テープ、バイアステープなどの非伸縮性テープが用いられる。このようにして、カップ縁部１６は、カップ部１０の他部分より剛性が高くなっている。なお、カップ縁部１６の剛性を高める方法としては、カップ縁部１６の表側にレース生地を縫着したり、カップ縁部に樹脂、金属などの線材等の部材を設けても良い。また、補強用芯材６０を用いず、カップ縁部を補強縫いすることによって、剛性を高くしても良い。
【００２７】
カップ部１０の脇側部のバック部３０との結合部から、カップ部１０のストラップ部４０との結合部１２までのカップ縁部１７の裏側には、すなわち、バック部３０との結合部から、ストラップ軸ラインＬより脇側の分岐ストラップ４４までのカップ縁部１７の裏側には、伸縮性のテープ６２が縫着されている。この伸縮性のテープ６２に代えて、非伸縮性のテープや、上記した補強用芯材６０と同一の部材からなる補強用芯材を縫着してもよい。このようにして、カップ縁部１７もまた、カップ部１０の他部分より剛性を高くすることができる。
【００２８】
このように、第１の実施形態のブラジャー１によれば、カップ部１０の下部が、ストラップ部４０の分岐結合部４１における分岐点４２と当該下部の前中心側縁部１１とを、カップ部１０のストラップ部４０との結合部１２を介して結ぶストラップ軸ラインＬより前中心側にバストトップＴが位置するほど、前中心から離間しているので、バストを下から押えることなく、脇から押えることとなる。したがって、谷間や突出等のバスト造形性を高めることができると共に、幅広いカップサイズのバストに対応可能となる。
【００２９】
また、ストラップ軸ラインＬより脇側でカップ部１０と結合する分岐ストラップ４４の引っ張り力とバック部３０の引っ張り力とにより、カップ部１０の脇側部分１０ｂがストラップ軸ラインＬを軸としてバスト脇部を強く押えるように作用する。したがって、谷間や突出等のバスト造形性をより高めることができる。
【００３０】
更に、第１の実施形態のブラジャー１によれば、カップ部１０の湾曲構造との共同作用により、また、カップ部１０における前中心側部分１０ａのカップ縁部１６の湾曲構造との共同作用により、ストラップ軸ラインＬより前中心側でカップ部１０と結合するストラップ４３の引っ張り力により、ストラップ軸ラインＬを軸として前中心側部分１０ａがバスト側に倒れ込むように作用する。したがって、着用者の動きに起因するカップ部１０の浮きを抑制することができ、動いてもしっかりとした保持感を得ることができる。
【００３１】
また、第１の実施形態のブラジャー１によれば、カップ部１０のカップ縁部１６の剛性が高いので、ストラップ軸ラインＬを軸として、ストラップ４３の引っ張り力により前中心側部分１０ａがバスト側に倒れ込む作用が効果的に作用する。したがって、着用者の動きに起因するカップ部の浮きをより抑制することができる。
【００３２】
同様に、カップ部１０のカップ縁部１７の剛性が高いので、ストラップ軸ラインＬを軸として、ストラップ４４の引っ張り力とバック部３０の引っ張り力とにより脇側部分１０ｂがバスト脇部を強く押える作用が効果的に作用する。したがって、谷間や突出等のバスト造形性をより高めることができる。
【００３３】
このように、カップ部１０が小さいにも関わらず、バスト造形性（脇寄せ感、突出感）が得られるので、第１の実施形態のブラジャー１によれば、幅広いカップサイズのバストに対する対応性がよい。
【００３４】
また、前中心近傍にカップ部が存在しないため、第１の実施形態のブラジャー１によれば、胸元を大きく開けた斬新なファッションスタイルを着用者に提供することができる。
［第２の実施形態］
【００３５】
図３は、本発明の第２の実施形態に係るブラジャーを表側から示す斜視図であり、図４は、図３に示すブラジャーの一部を裏側から示す図である。図３及び図４に示すブラジャー１Ａは、ブラジャー１においてカップ部１０及びストラップ部４０に代えてカップ部１０Ａ及びストラップ部４０Ａを備えている構成で第１の実施形態と異なっている。ブラジャー１Ａの他の構成はブラジャー１と同一である。
【００３６】
カップ部１０Ａは、カップ部１０において補強用芯材６０及びテープ６２に代えて補強用芯材６０Ａを有している構成でカップ部１０と異なっている。すなわち、カップ部１０Ａでは、カップ部１０の下部の前中心側縁部１１からストラップ部４０Ａとの結合部１２を介してバック部３０までのカップ縁部１６、１７に、補強用芯材６０Ａが縫着されている。補強用芯材６０Ａには、上記した補強用芯材６０と同一の部材が用いられる。カップ部１０Ａの他の構成はカップ部１０と同一である。
【００３７】
ストラップ部４０Ａは、ストラップ部４０において分岐結合部４１を有していない点でストラップ部４０と異なっている。すなわち、ストラップ部４０Ａは、カップ部１０Ａの結合部１２と１点で縫着されている。
【００３８】
この第２の実施形態のブラジャー１Ａでは、カップ部１０Ａのストラップ部４０Ａとの結合部１２とカップ部１０Ａの下部の前中心側縁部１１とを結ぶストラップ軸ラインＬを軸として、ストラップ部４０Ａの引っ張り力によりカップ部１０Ａの前中心側部分１０ａがバスト側に倒れ込むように作用する。したがって、第２の実施形態のブラジャー１Ａでも、第１の実施形態と同様の利点を得ることができる。
【００３９】
なお、本発明は上記した本実施形態に限定されることなく種々の変形が可能である。例えば、本実施形態では、カップ部１０、１０Ａにおける前中心部分を有さないことを特徴としたが、この前中心部分には、カップ部としての機能を有さない布等であれば設けられてもよい。すなわち、左右のカップ部１０、１０Ａの間には、装飾を目的とする布等が設けられていてもよい。
【００４０】
また、本実施形態では、カップワイヤー５１を備えるブラジャーを例示したが、本実施形態の特徴は、上記したように、カップワイヤーを備えないノンワイヤータイプのブラジャーにも適用可能である。
【００４１】
また、本実施形態では、バック部３０の後端をホック等で掛け留めするタイプのブラジャーを例示したが、本実施形態の特徴は、前中心において土台部２０の左右を分離してホック等で掛け留めするフロントホックタイプのブラジャーにも適用可能である。
【００４２】
また、本実施形態の特徴は、ブラジャー以外でも、ブラスリップ、ブラキャミソール、ボディスーツ、カップ付きテディ、水着等のようにカップ部を備える衣類であればすべてに適用可能である。
【符号の説明】
【００４３】
Ｌ…ストラップ軸ライン、Ｔ…バストトップ、１，１Ａ…ブラジャー（カップ部を有する衣類）、１０，１０Ａ…カップ部、１０ａ…前中心側部分、１０ｂ…脇側部分、１１…下部の前中心側縁部、１２…ストラップ部との結合部、１３…バージスラインの最下部、１４…範囲、１５…土台部との結合部の前中心側端部、１６…前中心側のカップ縁部、１７…脇側のカップ縁部、２０…土台部、２０ｌ…下辺、２０ｕ１…カップ部との境界、２０ｕ２…上辺、３０…バック部、３０ｌ…下辺、３０ｓ…カップ部及び土台部との境界、３０ｕ…上辺、４０，４０Ａ…ストラップ部、４１…分岐結合部、４２…分岐点、４３，４４…分岐ストラップ、５０…ワイヤーバイアステープ、５１…カップワイヤー、５２…伸縮性のテープ、５４，５６，５８…バイアステープ、５９…ワイヤー、６０，６０Ａ…補強用芯材、６２…テープ。
【図１】
2010222736.tif 000003
【図２】
2010222736.tif 000004
【図３】
2010222736.tif 000005
【図４】
2010222736.tif 000006